(57)【特許請求の範囲】
【請求項１】
入金口から受入れた入金紙幣を収納する入金カセットと、紙幣を収納する出金カセットから出金紙幣を排出する排出口と、前記入金紙幣を鑑別する鑑別部とを有し、
前記入金口から縦方向に入金された前記入金紙幣を縦搬送し、前記出金カセットから繰出した前記出金紙幣を横搬送して排出し、
前記鑑別部は、縦搬送の入金紙幣を鑑別する鑑別部であって、出金時は横搬送された出金紙幣をその略半分によって鑑別することを特徴とする紙幣入出金装置。
【請求項２】
請求項１において、
前記入金紙幣を縦搬送する搬送路の一部を、前記出金紙幣を横搬送する搬送路の一部と共用することを特徴とする紙幣入出金装置。
【請求項３】
請求項１または請求項２において、
前記排出口を、少なくとも返却要求により入金紙幣を返却する場合の排出口として共用することを特徴とする紙幣入出金装置。
【請求項４】
請求項１ないし請求項３のいずれか一項において、
出金紙幣を一時保管する出金一時保留部を設け、前記出金一時保留部を、少なくとも返却要求により入金紙幣を返却する場合の一時保留部として共用することを特徴とする紙幣入出金装置。
【請求項５】
請求項１ないし請求項３のいずれか一項において、
出金紙幣を一時保管する出金一時保留部を設け、前記出金一時保留部を、入金一時保留部として共用することを特徴とする紙幣入出金装置。
【請求項６】
請求項１ないし請求項５のいずれか一項において、
リジェクトされた入金紙幣を、前記入金紙幣の搬送路を逆転させて前記入金口に戻すことを特徴とする紙幣入出金装置。
【請求項７】
請求項１ないし請求項６のいずれか一項において、
前記入金カセットの奥側に、前記出金カセットを配置することを特徴とする紙幣入出金装置。
【請求項８】
請求項１ないし請求項６のいずれか一項において、
前記入金カセットを、前記出金カセットの側方に並設することを特徴とする紙幣入出金装置。
【請求項９】
請求項１ないし請求項８のいずれか一項において、
入金紙幣を一時保管する入金一時保留部を設け、前記入金カセットを、前記入金紙幣の一時保留部の下方に配置し、入金紙幣を束のまま収納するようにしたことを特徴とする紙幣入出金装置。
【請求項１０】
請求項８において、
入金紙幣を一時保管する入金一時保留部を設け、前記入金カセットを、前記入金一時保留部の側方に配置し、入金紙幣を横搬送して束のまま収納するようにしたことを特徴とする紙幣入出金装置。
【発明の詳細な説明】
【０００１】
【発明の属する技術分野】
本発明は、現金自動取引装置等の現金取扱装置に使用される紙幣入出金装置に関する。
【０００２】
【従来の技術】
従来の紙幣入出金装置の例を、図２０に示すブロック図を用いて説明する。
１は入出金部であり、利用者である顧客の入金紙幣を紙幣の長手方向（以下縦方向という。）で受入れ、顧客に出金紙幣を縦方向で排出する入出金口を有している。
【０００３】
２は鑑別部であり、入金された入金紙幣や出金される出金紙幣の金種、真偽、汚損等の異常を鑑別し、それぞれの紙幣の枚数を計数する。
３は一時保留部であり、鑑別部２により正常と鑑別された入金紙幣を一時保管する。
４は収納カセットであり、複数個設置され、予め装填された出金紙幣や回収した入金紙幣を金種別に収納する。
【０００４】
５はリジェクト部であり、出金時に鑑別部２で重送、斜行等の搬送異常と判断された出金リジェクト紙幣を格納する。
６は搬送路であり、上記各部位を接続し、搬送方向が紙幣の長手方向と平行な縦搬送路である。
上記の構成によって紙幣を入金する場合は、入出金部１で縦方向に受入れた入金紙幣を鑑別部２へ縦搬送し、紙幣の金種、真偽、汚損等を鑑別する。
【０００５】
この時、入金紙幣が偽券または汚損券等の異常と鑑別された場合は、入金リジェクト紙幣として搬送路６によって入出金部１に戻され顧客に返却される。
入金紙幣が正常と鑑別された場合は、金種毎に計数された後、搬送路６によって一時保留部３に集積され一時保管される。
全ての入金紙幣の鑑別が終了した後、顧客が入金紙幣の返却を要求した場合は、一時保留部３に保管されていた入金紙幣を搬送路６によって入出金部１に戻して顧客に返却する。
【０００６】
顧客が入金金額を確認した場合は、搬送路６によって収納カセット４へ搬送して金種別に収納する。
紙幣を出金する場合は、顧客の要求金額に相当する金額を収納カセット４から繰出し搬送路６によって鑑別部２へ搬送する。
鑑別部２において搬送異常と判断された出金紙幣は、出金リジェクト紙幣としてリジェクト部５へ格納される。正常と判断された出金紙幣は、搬送路６によって入出金部１へ搬送され顧客へ排出される。
【０００７】
【発明が解決しようとする課題】
このような紙幣入出金装置によると、紙幣の搬送が縦搬送であるため、搬送方向が紙幣の短手方向である横搬送の鑑別部に較べて、金種鑑別に要する検出部位を少なくすることができ、小型で安価な鑑別部を得ることができるという利点はあるが、同様の速度で搬送した場合には、同一搬送距離内に配列することができる紙幣の枚数が少なくなり、複数の紙幣を搬送する場合には処理速度が遅いという問題がある。
【０００８】
特に、現金自動取引装置（以下、ＡＴＭという。）に適用する紙幣入出金装置の場合は、取引頻度が特に多い出金取引の処理に時間がかかるため、銀行等の金融機関の店舗内に取引を待つ顧客の長い列ができてしまうという問題がある。
そこで、本発明は、小型であって、出金処理効率を向上させることができる紙幣入出金装置を提供することを目的とする。
【０００９】
【課題を解決するための手段】
本発明は、上記課題を解決するために、入金口から受入れた入金紙幣を収納する入金カセットと、紙幣を収納する出金カセットから出金紙幣を排出する排出口と、前記入金紙幣を鑑別する鑑別部とを有し、前記入金口から縦方向に入金された前記入金紙幣を縦搬送し、前記出金カセットから繰出した前記出金紙幣を横搬送して排出し、前記鑑別部は、縦搬送の入金紙幣を鑑別する鑑別部であって、出金時は横搬送された出金紙幣をその略半分によって鑑別することを特徴とする。
【００１０】
【発明の実施の形態】
以下に、図面を参照して本発明による紙幣入出金装置の実施の形態について説明する。なお、以下に示すの各実施の形態は、本発明の紙幣入出金装置をＡＴＭに適用する場合を例に説明する。
第１実施の形態例
図１は本発明の第１実施の形態を示す説明図である。
【００１１】
１１は紙幣入出金装置であり、ＡＴＭに設置されている。
１２は入金口であり、縦方向で受入れた入金紙幣を下から順に１枚毎に繰出す分離部１２ａを有している。
１３は鑑別部であり、縦搬送された入金紙幣の金種、真偽、汚損等の異常を鑑別し、正常な紙幣の枚数を計数する。
【００１２】
１４は入金一時保留部であり、鑑別部１３により正常と鑑別された入金紙幣を集積し一時保管する。
１５は入金カセットであり、正常な入金紙幣を金種に関わらず収納する。
１６は入金紙幣返却口であり、鑑別部１３により偽券、汚損券等の異常と鑑別され入金リジェクト紙幣とされた入金紙幣や、顧客の入金取消要求等によって返却する入金紙幣を顧客へ排出する。
【００１３】
１７は出金カセットであり、紙幣を横搬送するよう配置されて複数個設けられており、顧客に払出す紙幣を金種別に収納している。
１８は出金一時保留部であり、出金カセット１７から繰出された出金紙幣を集積し一時保管する。
１９は入金口１２とは別に設けられた排出口としての出金口であり、出金一時保留部１８に集積された横搬送の出金紙幣を顧客に排出する。
【００１４】
２０はシャッタであり、出金一時保留部１８と出金口１９との境界に設けられ、集積された紙幣の盗難や悪戯等を防止する。
２１は束搬送路であり、出金一時保留部１８に設けられ、上搬送部２１ａと下搬送部２１ｂを有しており、集積された紙幣を束のまま搬送する。
２２は出金リジェクト部であり、紙幣の重送等の搬送異常を光学的または機械的に検知するため出金紙幣の搬送路に設けられた図示しない検知器で搬送異常と判断され出金リジェクト紙幣とされた出金紙幣を格納する。
【００１５】
３１は搬送路であり、鑑別部１３で鑑別された入金紙幣を入金一時保留部１４または搬送路３２、３３との分岐部へ搬送する縦搬送路である。
搬送路３２は、入金一時保留部１４から繰出された入金紙幣を入金カセット１５へ搬送する縦搬送路である。
３４は共用搬送路であり、搬送路３３から縦搬送された入金紙幣および搬送路３５から横搬送された出金紙幣を出金一時保留部１８の方向へ搬送する縦横両方向の紙幣の搬送を可能にした搬送路である。
【００１６】
搬送路３５は、出金カセット１７から繰出された出金紙幣を共用搬送路３４へ搬送する横搬送路である。
３６は搬送路であり、共用搬送路３４から分岐して入金紙幣返却口１６へ入金紙幣を搬送する縦搬送路である。
３７は搬送路であり、共用搬送路３４から分岐して出金リジェクト部２２へ出金紙幣を搬送する横搬送路である。
【００１７】
なお、各搬送路の分岐部および合流部には、図示しない切替えブレードが設けられており、搬送される紙幣を適切な方向に導くよう構成されている。
図２は出金一時保留部１８を示す上面図、図３はその側面図である。
２３ａは搬送シャフトであり、束搬送路２１のサイドフレーム２４に回転自在に係止され、搬送ローラ２５ａが取付けられている。
【００１８】
２３ｂは搬送シャフト２３ａと平行に配置された搬送シャフトであり、サイドフレーム２４に回転自在に係止され、搬送ローラ２５ａと対向する位置に搬送ローラ２５ｂが取付けられている。
２６は搬送ベルトであり、搬送ローラ２５ａと、これに対向する搬送ローラ２５ｂとの間に掛け渡される。
【００１９】
出金一時保留部１８の束搬送路２１は、搬送シャフト２３ａ、２３ｂとこれらに取付けられた搬送ローラ２５ａ、２５ｂの間に掛け渡された搬送ベルト２６とによって形成される上搬送部２１ａと、これと同様の下搬送部２１ｂとを平行に配置して構成され、上搬送部２１ａが下搬送部２１ｂの方向に、またその逆方向に移動可能なように構成されている。
【００２０】
また、下搬送部２１ｂは共用搬送路３４から放出される紙幣の集積が容易なよう共用搬送路３４の下方付近まで延長されている。上搬送部２１ａは共用搬送路３４から放出される紙幣の集積を阻害しないよう共用搬送路３４から放出される紙幣の放出面より上方に配置されている。
図４は共用搬送路３４を示す上面図である。
【００２１】
４１ａは搬送シャフトであり、共用搬送路３４のサイドフレーム４２に回転自在に係止され、搬送ローラ４３ａが取付けられている。
４１ｂは搬送シャフト４１ａと平行に配置された搬送シャフトであり、サイドフレーム４２に回転自在に係止され、搬送ローラ４３ａと対向する位置に搬送ローラ４３ｂが取付けられている。
【００２２】
４４は搬送ベルトであり、搬送ローラ４３ａと、これに対向する搬送ローラ４３ｂとの間に掛け渡される。
上搬送部と下搬送部は共に上記の搬送シャフト４１ａ、４１ｂと、これらに取付けられた搬送ローラ４３ａ、４３ｂの間に掛け渡された２本の搬送ベルト４４によって形成され、上搬送部と下搬送部の搬送ベルト４４同士を当接させて組立て一組の搬送路が形成される。
【００２３】
共用搬送路３４は、この一組の搬送路を適切な間隔で連続的に並設して構成され、当接する搬送ベルト４４間に紙幣を挟持して搬送する。
なお、搬送路には縦搬送または横搬送専用の搬送路もあるが、部品の共用化等の理由から全てを図４と同等または一方の搬送ベルトと搬送ローラを省略して搬送路とすることも可能である。
【００２４】
また、上記図２、図４の例では搬送ベルトを２本としたが、３本以上設けるようにしてもよく、搬送ベルトを用いずローラのみで紙幣の搬送を行うローラ搬送路としてもよい。
上述した構成の作用について、顧客が本実施の形態による紙幣入出金装置を装備したＡＴＭを用いて、ＡＴＭに設けられた図示しない顧客操作画面から各種の取引を行う場合を例に説明する。
【００２５】
図１において、顧客が紙幣を入金する場合は、入金紙幣は入金口１２に縦方向にセットされ、分離部１２ａによって下から順に１枚毎に繰出されて鑑別部１３へ縦搬送される。
鑑別部１３においては、金種、真偽、汚損等の鑑別が行われ、偽券、汚損券または外国紙幣等の異常と鑑別された入金紙幣は、入金リジェクト紙幣として搬送路３１、３３、共用搬送路３４、搬送路３６によって入金紙幣返却口１６へ搬送され集積されて入金リジェクト紙幣が顧客に返却される。
【００２６】
この時、共用搬送路３４においては、返却される入金リジェクト紙幣は図４に示す縦搬送紙幣のように片方の搬送ベルト４４に挟持されて搬送路３６との分岐部まで搬送され、分岐部に設けられた図示しない切替ブレードによって搬送方向を切替えられ搬送路３６へ導かれる。
正常と鑑別された入金紙幣は、金種毎に計数された後、搬送路３１によって入金一時保留部１４に搬送され集積されて一時保管される。
【００２７】
全ての入金紙幣の鑑別が終了すると、図示しない顧客操作画面に入金金額が表示され、入金金額の確認を促す文言が表示される。
顧客が入金取消操作を行った場合は、入金一時保留部１４に保管されていた入金紙幣は１枚毎に繰出され、入金リジェクト紙幣と同様にして入金紙幣返却口１６へ搬送され集積されて入金紙幣が顧客に返却される。
【００２８】
顧客が入金金額を確認した場合は、入金一時保留部１４に保管されていた入金紙幣は１枚毎に繰出され、搬送路３１、３２によって入金カセット１５へ搬送されて収納される。
顧客が出金取引操作を行った場合は、顧客の要求金額に相当する金額の紙幣を出金カセット１７から必要な金種毎に１枚毎に繰出し、出金紙幣として搬送路３５、共用搬送路３４によって出金一時保留部１８へ搬送され集積される。
【００２９】
この時、図示しない検知器によって重送等の搬送異常とされた出金紙幣は、出金リジェクト紙幣として搬送路３７によって出金リジェクト部２２へ搬送されて格納される。
また、共用搬送路３４においては、出金紙幣は図４に示す横搬送紙幣のように両方の搬送ベルト４４に挟持されて出金一時保留部１８へ搬送され、図３に示す束搬送路２１の下搬送部２１ｂ上に集積される。
【００３０】
顧客の要求金額の出金紙幣が全て集積されると、上搬送部２１ａは図示しない駆動装置によって下搬送部２１ｂの方向に移動し、出金紙幣の全てを上搬送部２１ａと下搬送部２１ｂの間に挟持する。
次いで、シャッタ２０が開放され、束搬送路２１が図示しない駆動装置によって駆動されて出金紙幣が束のまま出金口１９へ搬送される。顧客はこれを引抜いて要求額の紙幣を受取る。
【００３１】
顧客の受取りが確認されると、シャッタ２０を閉鎖して出金取引を終了する。
出金口１９へ搬送された出金紙幣が一定時間経過後においても引抜かれなかった場合は、束搬送路２１を逆転させて出金紙幣を出金一時保留部２３へ引込み、シャッタ２０を閉鎖して束搬送路２１によってこの出金紙幣を束のまま搬送し、出金リジェクト部２２へ収納する。これによって新たな取引処理の継続が可能となる。
【００３２】
上記のように、本実施の形態においては、縦方向の紙幣を受入れる入金口と横方向の紙幣を排出する出金口を別々に設け、入金紙幣の搬送を縦搬送として鑑別部を小型化し、出金紙幣の搬送を横搬送として出金時の搬送処理を短縮するようにしたため、小型で、かつ出金処理効率を高めた紙幣入出金装置を得ることができる。
【００３３】
また、縦搬送と横搬送とを共に可能にした共用搬送路を設けることによって、搬送路の一部が共用化できるため装置の簡素化が可能となり、小型化と同時に製作コストの低減を図ることができる。
更に、入金カセットを出金カセットの奥側に配置する縦配置とすることによって、顧客が操作する操作側の幅を狭くすることができ、ＡＴＭ等の現金取扱装置の設置幅が狭い設置場所や、多数のＡＴＭ等を並設する場合に設置場所の空間を有効に活用することができる。
【００３４】
第２実施の形態例
図５は本発明の第２実施の形態を示す説明図である。
なお、上記第１実施の形態例と同様の部分は、同一の符号を付してその説明を省略する。
５１は入金カセットであり、出金カセット１７の顧客操作側に配置され、正常な入金紙幣を金種に関わらず収納する。
【００３５】
５２は出金一時保留部であり、出金カセット１７から繰出された横搬送の出金紙幣を集積し一時保管する他、顧客に返却される入金紙幣や入金リジェクト紙幣のような縦搬送の入金紙幣を集積する一時保留部として機能する。
５３は束搬送路であり、出金一時保留部５２に設けられ、上搬送部５２ａと下搬送部５２ｂを有しており、縦に集積された入金紙幣または横に集積された出金紙幣をそれぞれ束のまま搬送する。
【００３６】
５４は出金一時保留部５２に搬送された横紙幣を集積するための紙幣ストッパである。
５５は搬送路であり、入金一時保留部１４から繰出された入金紙幣を共用搬送路３４から分岐して入金カセット５１へ搬送する。
なお、各搬送路の分岐部および合流部には、図示しない切替えブレードが設けられており、搬送される紙幣を適切な方向に導くよう構成されている。
【００３７】
図６は本実施の形態の出金一時保留部５２を示す上面図、図７はその中央断面図である。
５６ａは搬送シャフトであり、束搬送路５３のサイドフレーム５７に回転自在に係止され、搬送ローラ５８ａが取付けられている。
５６ｂは搬送シャフト５６ａと平行に配置された搬送シャフトであり、サイドフレーム５７に回転自在に係止され、搬送ローラ５８ａと対向する位置に搬送ローラ５８ｂが取付けられている。
【００３８】
５９は搬送ベルトであり、搬送ローラ５８ａと、これに対向する搬送ローラ５８ｂとの間に掛け渡される。
出金一時保留部５２の束搬送路５３は、図２、図３に示す束搬送路２１と同様に上搬送部５３ａと下搬送部５３ｂとから構成されており、縦搬送された入金紙幣と横搬送された出金紙幣が共に集積できるよう、図６に示すように紙幣の縦方向長さを収容できる一辺の長さを有する略正方形の形状になっている。
【００３９】
紙幣ストッパ５４は、束搬送路５３のサイドフレーム５７に回動自在に設けられたストッパシャフト５４ａに搬送ベルト５９との干渉を避けるよう複数個設けられ、横搬送された紙幣を整列して集積できるよう紙幣の短手方向の長さに適合する位置に設置される。
なお、ストッパシャフト５４ａは、共用搬送路３４のサイドフレーム４２に回動自在に設けるようにしてもよい。
【００４０】
また、本実施の形態では、第１実施の形態の入金紙幣返却口１６とその搬送路３６が省略され、出金一時保留部５２が縦搬送される入金紙幣と横搬送される出金紙幣を両方共取扱えるよう構成されている。
図８は本実施の形態の出金カセット１７および入金カセット５１から成る収納部を示す前面図である。
【００４１】
６１は紙幣入出金装置１１のフレームである。
６２は入金カセットガイドであり、フレーム６１に取付けられて入金カセット５１の両側に配置され、ガイド溝６２ａを有している。
６３は出金カセットガイドであり、フレーム６１に取付けられて出金カセット１７の両側に配置され、ガイド溝６３ａを有している。
【００４２】
６４は入金スライド部であり、入金カセット５１の両側に設けられ、入金カセットガイド６２のガイド溝６２ａと嵌合し、玉軸受等を利用してガイド溝６２ａ内を摺動する。
６５は出金スライド部であり、出金カセット１７の両側に設けられ、出金カセットガイド６３のガイド溝６３ａと嵌合し、玉軸受等を利用してガイド溝６３ａ内を摺動する。
【００４３】
なお、本実施の形態のＡＴＭは、ＡＴＭの背面側に設置場所の余裕がない等のために、顧客が操作する顧客操作側である前面を、紙幣の回収や補充、その他の保守のための保守側として保守用の扉を設けた前面保守型のＡＴＭである。
また、入金カセットガイド６１と出金カセットガイド６２、および入金スライド部６４と出金スライド部６５は、それぞれ共通として部品点数を削減することが望ましい。
【００４４】
上述した構成の作用について説明する。
図５において、顧客が紙幣を入金する場合は、入金紙幣は入金口１２に縦方向にセットされ、１枚毎に繰出されて鑑別部１３へ縦搬送される。
鑑別部１３において入金リジェクト紙幣とされた入金紙幣は、搬送路３１、３３、共用搬送路３４によって出金一時保留部５２へ搬送され集積される。
【００４５】
この時、図７に示す紙幣ストッパ５４は、ストッパシャフト５４ａが図示しない駆動機構によって矢印Ａ方向に回動し、縦搬送紙幣の集積を妨げないよう下搬送部５３ｂの搬送ベルト５９から退避した位置に停止している。
出金一時保留部５２に搬送された入金リジェクト紙幣は、共用搬送路３４から放出され、図６に示す縦搬送紙幣のように下搬送部５３ｂの片方の搬送ベルト５９上に集積される。
【００４６】
全ての入金リジェクト紙幣が集積されると、上搬送部５３ａは図示しない駆動装置によって下搬送部５３ｂの方向に移動し、入金リジェクト紙幣の全てを上搬送部５３ａと下搬送部５３ｂの間に挟持する。
次いで、シャッタ２０が開放され、束搬送路５３が図示しない駆動装置によって駆動されて入金リジェクト紙幣が束のまま出金口１９へ搬送される。顧客はこれを引抜いて受取り、入金リジェクト紙幣が顧客に返却される。
【００４７】
顧客の受取りが確認されると、シャッタ２０が閉鎖される。
正常と鑑別された入金紙幣は、金種毎に計数された後、搬送路３１によって入金一時保留部１４に搬送され集積されて一時保管される。
全ての入金紙幣の鑑別が終了すると、図示しない顧客操作画面に入金金額が表示され、入金金額の確認を促す文言が表示される。
【００４８】
顧客が入金取消操作を行った場合は、入金一時保留部１４に保管されていた入金紙幣は１枚毎に繰出され、搬送路３１、搬送路３３、共用搬送路３４によって出金一時保留部５２へ搬送され、入金リジェクト紙幣の場合と同様にして集積され排出されて入金紙幣が顧客に返却される。
顧客が入金金額を確認した場合は、入金一時保留部１４に保管されていた入金紙幣は１枚毎に繰出され搬送路３１、３２、共用搬送路３４、搬送路５５によって入金カセット１５へ搬送され収納される。
【００４９】
顧客が出金取引操作を行った場合の出金紙幣の出金一時保留部５２への搬送および出金リジェクト紙幣の出金リジェクト部２２への格納は、第１実施の形態と同様であるので説明を省略する。
出金一時保留部５２に横搬送された出金紙幣は、図７に示すように紙幣ストッパ５４が下搬送部５２ｂを略紙幣の短手方向長さに区切って閉鎖しているため、共用搬送路３４から放出された出金紙幣は紙幣ストッパ５４によって下搬送部５２ｂ上に整列して集積される。
【００５０】
顧客の要求金額が全て集積されると、上搬送部５３ａは図示しない駆動装置によって下搬送部５３ｂの方向に移動し、出金紙幣の全てを上搬送部５３ａと下搬送部５２ｂの間に挟持する。
次いで、紙幣ストッパ５４が矢印Ａ方向に回動して紙幣の搬送路から退避し、シャッタ２０が開放されて束搬送路５３によって出金紙幣が束のまま出金口１９へ搬送される。顧客はこれを引抜いて要求額の出金紙幣を受取る。
【００５１】
顧客の受取りが確認されると、シャッタ２０を閉鎖して出金取引を終了する。
出金口１９へ搬送された出金紙幣が一定時間経過後においても引抜かれなかった場合は、束搬送路５３を逆転させて出金紙幣を出金一時保留部５２へ引込み、シャッタ２０を閉鎖して束搬送路５３によってこの出金紙幣を束のまま搬送し、出金リジェクト部２２へ収納する。これによって新たな取引処理の継続が可能となる。
【００５２】
入金カセット５１の紙幣の回収や出金カセット１７への紙幣の補充は、以下のように行う。
入金カセット５１から紙幣を取出す場合は、ＡＴＭの前面に設けられた保守用の扉を開き、入金カセット５１またはこれに設けられた把手を引張り、スライド部６４によって入金カセット５１をスライドさせて引出し紙幣を取出す。または空の入金カセット５１と交換する。
【００５３】
出金カセット１７へ紙幣の補充を行う場合は、上記の手順で入金カセット５１を引出し、出金カセット１７またはこれに設けられた把手を引張り、スライド部６５によって出金カセット１７をスライドさせて引出し紙幣を補充する。または予め紙幣を充填した出金カセット１７と交換する。
本実施の形態においては、第１実施の形態例の効果に加えて、出金一時保留部を出金紙幣の一時保留部および顧客に返却される入金紙幣や入金リジェクト紙幣の一時保留部として共用し、これに設けた縦横の紙幣が取扱える束搬送路によって、一箇所の出金口から顧客へ引渡す全ての紙幣を束のまま排出することができるため、取り忘れ等が防止できると同時に、顧客が一度で紙幣を受取ることができ顧客の利便性を向上させることができるという効果が得られる。
【００５４】
また、入金紙幣返却口とその搬送路が省略できるため、装置を簡素化でき小型化を図ることが可能となる。
更に、入金カセットと出金カセットを縦配置とし、入金カセットを保守側手前に配置してこれらにスライド機構を設けたことによって、紙幣の回収、補充を素早く行うことができ、保守時間を短縮できる効果が得られると共に、顧客の前で紙幣の保守を行う前面保守型のＡＴＭにおいては、上記した素早い交換作業によって犯罪行為を未然に防ぐことができる。
【００５５】
なお、本実施の形態では、入金紙幣返却口とその搬送路を省略することで、小型化を図ったが、正券以外の紙幣の混入の可能性が大きい場所等において入金リジェクト紙幣の種類が多い等の理由によって、第１実施の形態例と同様にして入金紙幣返却口とその搬送路を設け、入金リジェクト紙幣のみをここから排出するようにしてもよい。
【００５６】
この場合にも出金一時保留部は、出金紙幣の一時保留部および顧客に返却される正常な入金紙幣の一時保留部として共用し縦横の紙幣が取扱えるものとして、顧客の利便性を確保する。
これによって、流通紙幣より小型や大型の紙幣等の正券以外の紙幣を取扱う必要がある場合に、入金リジェクト紙幣の集積を容易にすることができると共に、正券以外の紙幣による出金一時保留部等でのジャム等の障害をも防止することができる。
【００５７】
また、ＡＴＭの背面側に設けられた別室等から保守作業を行う背面保守型のＡＴＭの場合は、保守側である背面に保守用の扉を設け、第１実施の形態例で示した出金カセットの背面側に入金カセットを配置し、上記と同様のスライド機構を設けることによって、前面保守型と同様に保守時間を短縮させる効果を得ることができる。
【００５８】
第３実施の形態例
図９は本発明の第３実施の形態を示す説明図である。
なお、上記第１および第２実施の形態例と同様の部分は、同一の符号を付してその説明を省略する。
７１は入金口であり、縦方向で受入れた入金紙幣を上から順に１枚毎に繰出す分離部７１ａを備えている。
【００５９】
７２は鑑別部であり、共用搬送路３４の出金紙幣の搬送路３５との合流部と、出金リジェクト部２２への搬送路３７との分岐部の間に、縦搬送された入金紙幣の金種、真偽、汚損等を鑑別するよう設けられ、横搬送された出金紙幣の場合は紙幣の略半分を鑑別することによって、紙幣の金種、重送等が鑑別できるよう設定され、これらの紙幣の枚数も計数する。
【００６０】
７３は入金一時保留部であり、鑑別部７２により正常と鑑別された入金紙幣を集積し一時保管する。
７４は入金カセットであり、出金カセット１７の背面側で入金一時保留部７３の真下に配置され、入金一時保留部７３との仕切り板が回動する等により入金一時保留部７３から束のまま排出される入金紙幣を受取れるようになっており、入金紙幣を金種に関わらず収納する。
【００６１】
７５は搬送路であり、入金口７１に縦方向にセットされた入金紙幣を共用搬送路３４との合流部まで搬送する。
７６は搬送路であり、鑑別部７２により正常とされた入金紙幣を共用搬送路３４から分岐して入金一時保留部７３へ搬送する。
なお、各搬送路の分岐部および合流部には、図示しない切替えブレードが設けられており、搬送される紙幣を適切な方向に導くように構成されている。
【００６２】
上述した構成の作用について説明する。
顧客が紙幣を入金する場合は、入金紙幣は入金口７１に縦方向にセットされ、分離部７１ａによって上から順に１枚毎に繰出されて搬送路７５、共用搬送路３４によって鑑別部７２へ縦搬送される。
鑑別部７２において正常と鑑別された入金紙幣は、金種毎に計数された後、共用搬送路３４、搬送路７６によって入金一時保留部７３に搬送され集積されて一時保管される。
【００６３】
なお、入金口７１から１枚毎に繰出される入金紙幣は、入金紙幣が正常と鑑別されるまでの間は繰出動作が停止している。
異常と鑑別され入金リジェクト紙幣とされた入金紙幣は、鑑別部７２と入金一時保留部７３の間の搬送路上に一旦停止し、搬送路７６、共用搬送路３４、搬送路７５を逆転させることによって入金口７１へ搬送され、未分離の入金紙幣上に集積されて顧客に返却される。
【００６４】
この時、入金処理は一時中断され、図示しない顧客操作画面に入金リジェクト紙幣の受取りを促す旨の文言と入金取引継続の要否を問合せる選択画面とが表示される。
顧客が入金取引の中止を選択した場合は、既に入金一時保留部７３に保管されている入金紙幣が１枚毎に繰出され、入金リジェクト紙幣の場合と同様に搬送されて入金口に戻され顧客に返却される。または搬送路７６、共用搬送路３４によって出金一時保留部５２へ搬送されて集積され、第２実施の形態と同様にして入金リジェクト紙幣が顧客に返却される。
【００６５】
顧客が入金取引の継続を選択した場合は、入金リジェクト紙幣の受取り確認後に入金処理が再開され、残りの入金紙幣に対する鑑別動作が上記と同様に行われる。
全ての入金紙幣の鑑別が終了すると、図示しない顧客操作画面に入金金額が表示され、入金金額の確認を促す文言が表示される。
【００６６】
顧客が入金取消操作を行った場合は、入金一時保留部７３に保管されていた入金紙幣は１枚毎に繰出され、搬送路７６、共用搬送路３４によって出金一時保留部５２へ搬送されて集積され、第２実施の形態と同様にして入金紙幣が顧客に返却される。
顧客が入金金額を確認した場合は、入金一時保留部７３に保管されていた入金紙幣は、入金一時保留部７３と入金カセット７４の仕切り板が回動する等によって束のまま入金カセット１５へ送られ収納される。
【００６７】
顧客が出金取引操作を行った場合は、顧客の要求金額に相当する金額を出金カセット１７から必要な金種毎に１枚毎に繰出し、搬送路３５、共用搬送路３４によって鑑別部７２へ搬送される。
鑑別部７２は、横搬送された紙幣の略半分によって金種判別および重送、斜行等の搬送異常を鑑別し、異常とされた出金紙幣は出金リジェクト紙幣として搬送路３７によって出金リジェクト部２２へ搬送されて格納される。
【００６８】
正常と鑑別された出金紙幣は、共用搬送路３４によって出金一時保留部５２へ搬送される。その後の動作は第２実施の形態と同様であるので省略する。
以上のように本実施の形態においては、第１実施の形態例の効果、第２実施の形態の入金紙幣返却口の省略による装置の小型化の効果、保守側手前への入金カセットの配置による保守時間の短縮効果に加えて、出金カセットとは別に入金カセットを設け、金種に関わらず入金紙幣を束で収納することによって、入金紙幣の収納に要する時間を短縮することができるという効果が得られる。
【００６９】
また、鑑別部によって縦搬送の入金紙幣だけでなく横搬送の出金紙幣もその略半分を用いて鑑別することによって、出金カセットへの金種の装填ミスによる事故を防止できると同時に、別に設ける重送等の検知器を省略することができる。更に、共用搬送路３４を正逆両方向の搬送に用いることによって、第２実施の形態の搬送路３１が省略でき搬送路を短くすることができるため、装置を更に簡素化することができる。
【００７０】
なお、本実施の形態の入金紙幣を束で入金カセットに収納する技術は、第１実施の形態における入金一時保留部１４を入金カセット１５の上部に設け、入金カセット１５を本実施の形態の入金カセット７４と同様にすることによって、第１実施の形態にも適用することが可能となる。これによって、入金紙幣を束で収納することができ収納時間を短縮させる効果を得ることができる。
【００７１】
第４実施の形態例
図１０は本発明の第４実施の形態を示す説明図である。
なお、上記第１〜第３実施の形態例と同様の部分は、同一の符号を付してその説明を省略する。
８１は入金リジェクト口であり、鑑別部７２により偽券、汚損券、他国の紙幣等の異常と鑑別された入金リジェクト紙幣を集積し顧客に返却する。
【００７２】
８２は入出金一時保留部であり、鑑別部７２により正常と鑑別された入金紙幣および出金カセット１７から繰出された出金紙幣を集積して一時保管する。
また、入出金一時保留部８２には、第２実施の形態と同様に上搬送部５３ａと下搬送部５３ｂとで構成された束搬送路５３が設けられ、縦に集積された入金紙幣および横に集積された出金紙幣をそれぞれ束のまま搬送する。
【００７３】
８３は入金カセットであり、出金カセット１７の前面側で入出金一時保留部８２の真下に配置され、入出金一時保留部８２から束のまま排出される入金紙幣を受取れるよう上部に開口部を有しており、入金紙幣を金種に関わらず収納する。
８４は搬送路であり、鑑別部７２により入金リジェクト紙幣とされた入金紙幣を共用搬送路３４から分岐して入金リジェクト口８１へ搬送する。
【００７４】
なお、各搬送路の分岐部および合流部には、図示しない切替えブレードが設けられており、搬送される紙幣を適切な方向に導くように構成されている。
図１１は本実施の形態の入出金一時保留部８２を示す上面図である。
８５は回転軸であり、共用搬送路３４のサイドフレーム４２に回動自在に係止され、束搬送路５３を回動させる場合の回転支点となる。
【００７５】
上述した構成の作用について説明する。
図１０において、顧客が紙幣を入金する場合は、入金口１２に縦方向にセットされた入金紙幣は、１枚毎に繰出され搬送路３１、３３、共用搬送路３４によって鑑別部７２へ縦搬送される。
鑑別部７２において入金リジェクト紙幣された入金紙幣は、共用搬送路３４、搬送路８４によって入金リジェクト口８１へ搬送され集積されて顧客に返却される。
【００７６】
正常と鑑別された入金紙幣は、金種毎に計数された後、共用搬送路３４によって入出金一時保留部８２に搬送され、第２実施の形態と同様にして集積され一時保管される。
全ての入金紙幣の鑑別が終了すると、図示しない顧客操作画面に入金金額が表示され、入金金額の確認を促す文言が表示される。
【００７７】
顧客が入金取消操作を行った場合は、上搬送部５３ａが下搬送部５３ｂの方向へ移動し、入出金一時保留部８２に保管されていた入金紙幣の全てを上搬送部５３ａと下搬送部５３ｂの間に挟持し、第２実施の形態と同様にして入金紙幣を顧客に返却する。
顧客が入金金額を確認した場合は、上記と同様にして入金紙幣の全てが上搬送部５３ａと下搬送部５３ｂの間に挟持される。次いで図示しない駆動装置によって束搬送路５３が回転軸８５を回転支点として図１０に示す矢印Ｂ方向に回動し、入金カセット８３に設けられた開口部の方向を向き、入金紙幣が束のまま上搬送部５３ａと下搬送部５３ｂに挟持されて搬送され入金カセット８３へ収納される。
【００７８】
顧客が出金取引操作を行った場合の出金紙幣の繰出し動作、鑑別部７２での鑑別動作および搬送異常紙幣の出金リジェクト部２２への格納動作は第３実施の形態と同様であるので説明を省略する。
正常と鑑別された出金紙幣は、共用搬送路３４によって入出金一時保留部８２へ搬送される。
【００７９】
この時、入出金一時保留部８２においては、第２実施の形態と同様にして束搬送路５３の下搬送部５２ｂ上に横搬送された出金紙幣が整列して集積される。その後の動作は第２実施の形態と同様であるので省略する。
以上のように本実施の形態においては、第１実施の形態例の効果、第２実施の形態の入金カセットの保守側手前への配置による保守時間の短縮効果と犯罪防止効果、第３実施の形態の入金紙幣の束収納による収納時間の短縮効果、縦横紙幣を両方鑑別する鑑別部による簡素化と装填ミスの防止効果に加えて、出金紙幣の一時保留部を入金紙幣の一時保留部としても共用することによって、繰出し機構等の複雑な機構を有する入金一時保留部が省略できるため、装置を簡素化することができると同時に、装置の信頼性を向上させることができるという効果が得られる。
【００８０】
また、入金リジェクト紙幣のみを入金リジェクト口から排出するようにしたことによって、正券以外の紙幣の混入の可能性が大きい場所等での入金リジェクト紙幣の集積を容易にすることができると共に、正券以外の紙幣による出金一時保留部等でのジャム等の障害をも防止することができるという効果が得られる。
なお、本実施の形態の入金紙幣を束で入金カセットに収納する技術は、第２実施の形態における出金一時保留部５２の束搬送路５３に回転軸８５を設け、入金カセット５１を本実施の形態の入金カセット８３と同様にして、出金一時保留部５２を収納する入金紙幣の一時保留部として機能させることによって、第２実施の形態にも適用することが可能となる。これによって、搬送路５５を省略することが低減できる。
【００８１】
また、本発明における束搬送路２１、５３は以下に示す態様としてもよい。
以下には束搬送路５３を第４実施の形態に適用する態様として示すが、他の実施の形態および束搬送路２１においても同様である。
図１２は束搬送路５３の他の態様１を示す上面図、図１３はその中央断面図である。
【００８２】
図１２における束搬送路５３の下搬送部５３ｂは、出金リジェクト部２２の方向に傾斜して設けられている。
８６はストッパであり、共用搬送路３４のサイドフレーム４２に回動自在に設けられたシャフト８６ａに固定され、下搬送部５３ｂ上に放出された出金紙幣を整列して集積する。
【００８３】
この束搬送路５３によって入金リジェクト紙幣または入金紙幣を集積して顧客に返却する場合は、紙幣ストッパ５４は図示しない駆動機構により矢印Ａ方向に回動して共用搬送路３４から放出される縦搬送紙幣の集積を妨げないよう下搬送部５３ｂの搬送ベルト５９から退避した位置に停止し、ストッパ８６は紙幣が下搬送部５３ｂから脱落しないよう図１３に示す位置に停止している。
【００８４】
共用搬送路３４によって束搬送路５３に縦搬送された入金紙幣は、図１２に示す縦搬送紙幣のようにストッパ８６に支えられ下搬送部５３ｂの片方の搬送ベルト上に集積される。
全ての入金紙幣が集積されると、上搬送部５３ａは図示しない駆動装置によって矢印Ｃ方向に回動して下搬送部５３ｂと平行になり、その方向に移動して入金紙幣の全てを上搬送部５３ａと下搬送部５３ｂの間に挟持する。
【００８５】
次いで、シャッタ２０が開放され、束搬送路５３によって入金紙幣が束のまま出金口１９へ搬送される。顧客はこれを引抜いて受取り入金リジェクト紙幣や入金紙幣が顧客に返却される。
入金紙幣を入金カセット８３に収納する場合は、上記と同様にして入金紙幣の全てが上搬送部５３ａと下搬送部５３ｂの間に挟持される。
【００８６】
次いで図示しない駆動装置によって束搬送路５３が回転軸８５を回転支点として図１０に示す矢印Ｂ方向に回動し、入金カセット８３に設けられた開口部の方向を向き、上搬送部５３ａと下搬送部５３ｂに挟持されて搬送され、入金紙幣を束のまま入金カセット８３へ収納する。
出金紙幣を集積して顧客に排出する場合は、紙幣ストッパ５４とストッパ８６は共に図１３に示す位置に停止している。
【００８７】
共用搬送路３４によって束搬送路５３に横搬送された出金紙幣は、図１２に示す横搬送紙幣のように紙幣ストッパ５４とストッパ８６との間の下搬送部５３ｂの両方の搬送ベルト５９上に集積される。
全ての出金紙幣が集積されると、上搬送部５３ａは図示しない駆動装置によって矢印Ｃ方向に回動して下搬送部５３ｂと平行になり、その方向に移動して出金紙幣の全てを上搬送部５３ａと下搬送部５３ｂの間に挟持する。
【００８８】
次いで、紙幣ストッパ５４が図示しない駆動機構により矢印Ａ方向に回動して出金紙幣の搬送路から退避し、シャッタ２０が開放されて束搬送路５３によって出金紙幣が束のまま出金口１９へ搬送される。顧客はこれを引抜いて出金紙幣を受取る。
出金紙幣を出金リジェクト部２２へ収納する場合は、束搬送路５３を逆転させて出金紙幣を引込み、シャッタ２０を閉鎖する。次いでシャフト８６ａが図示しない駆動機構により回動してストッパ８６を矢印Ｄ方向に回動し、出金リジェクト部２２への通路を開放して束搬送路５３によってこの紙幣を束のまま出金リジェクト部２２へ収納する。
【００８９】
これによって、上記第４実施の形態の効果に加えて、出金リジェクト部２２の設置場所の自由度を増すことが可能となる。
図１４は束搬送路５３の他の態様２を示す上面図、図１５はその中央断面図である。
９１は束搬送路である。
【００９０】
９２はドラムであり、縦搬送紙幣を集積する凹部９３および横搬送紙幣を集積する凹部９４が設けられている。
９５は回転軸であり、ドラム９２に固定され、共用搬送路３４のサイドフレーム４２に回動自在に係止されている。
この束搬送路９１によって入金リジェクト紙幣または入金紙幣を集積して顧客に返却する場合は、共用搬送路３４の片側の搬送ベルトによって束搬送路９１に縦搬送された入金紙幣は、図１４に示す縦搬送紙幣のように凹部９３内に集積される。
【００９１】
全ての入金紙幣が集積されると、ドラム９２は回転軸９５を回転支点として図示しない駆動装置によって図１５に示す矢印Ｅ方向に略半回転し、顧客側へその開口部を向ける。顧客は開口部から束のままこれを受取り、入金リジェクト紙幣や入金紙幣が顧客に返却される。
入金紙幣の受取りが確認されるとドラム９２は、矢印Ｅと反対方向に略半回転し元の位置に復帰する。
【００９２】
入金紙幣を入金カセット８３に収納する場合は、上記と同様にして入金紙幣の全てが凹部９３内に集積される。次いでドラム９２が回転軸９５を回転支点として矢印Ｅと反対方向に回動し、入金カセット８３に設けられた開口部の方向を向き入金紙幣の自重を利用して入金紙幣を束のまま入金カセット８３へ収納する。入金紙幣の収納が確認されるとドラム９２は、矢印Ｅ方向に回動し元の位置に復帰する。
【００９３】
出金紙幣を集積して顧客に排出する場合は、共用搬送路３４の両方の搬送ベルトによって束搬送路５３に縦搬送された出金紙幣は、図１４に示す横搬送紙幣のように凹部９４内に集積される。
全ての出金紙幣が集積された後の動作は、入金紙幣の場合と同様であるので説明を省略する。
【００９４】
出金紙幣を出金リジェクト部２２へ収納する場合は、ドラム９２を矢印Ｅと反対方向に略半回転させ出金紙幣を引込み、更に回動させて出金リジェクト部２２の方向へ開口部を向け、入金紙幣の自重を利用して入金紙幣を束のまま出金リジェクト部２２へ送り出してこの紙幣を出金リジェクト部２２へ収納する。
入金紙幣の収納が確認されるとドラム９２は、矢印Ｅ方向に回動し元の位置に復帰する。
【００９５】
これによって、上記第４実施の形態の効果に加えて、シャッタおよび出金口を省略することができ、束搬送路も省略できるため、装置を更に簡略化することができる。
なお、ドラムの回転時には、近接センサ等によって顧客の回転部への接近を検知し、顧客の安全を確保することが望ましい。またこれを警報音または警告音声として顧客の注意を喚起するようにしてもよい。
【００９６】
第５実施の形態例
図１６は本発明の第５実施の形態を示す説明図である。
なお、上記第１〜第４実施の形態例と同様の部分は、同一の符号を付してその説明を省略する。
１０１は入金一時保留部であり、鑑別部１３により正常と鑑別され、縦搬送された入金紙幣を集積し一時保管する。また入金一時保留部１０１の顧客操作側には集積された紙幣の盗難や悪戯等を防止するシャッタ２０が設けられている。
【００９７】
１０２は束搬送路であり、入金一時保留部１０２に設けられ、第４実施の形態の図１１に示した束搬送路５３の片方の搬送ベルトのみにからなり、上搬送部１０２ａ、下搬送部１０２ｂおよび回転軸８５と同様の図示しない回転軸を有しており、縦搬送された紙幣を集積して束のまま搬送する。
１０３は入金カセットであり、出金カセット１７の側方に並設されて入金一時保留部１０１の真下に配置され、第４実施の形態例と同様に入出金一時保留部１０１から束のまま排出される入金紙幣を受取れるよう上部に開口部を有しており、入金紙幣を金種に関わらず収納する。
【００９８】
１０４は共用搬送路であり、搬送路３３から縦搬送された入金紙幣を入金一時保留部１０１および搬送路３５から横搬送された出金紙幣を出金一時保留部１８の方向へ搬送する縦横両方向の紙幣の搬送を可能にした搬送路である。
なお、各搬送路の分岐部および合流部には、図示しない切替えブレードが設けられており、搬送される紙幣を適切な方向に導くように構成されている。
【００９９】
また、本実施の形態で設けられる出金一時保留部１８は、第１実施の形態の出金一時保留部１８と同様のものであり、横搬送された紙幣を束のまま搬送する束搬送路２１が設けられており、出金一時保留部１８の顧客操作側には集積された紙幣の盗難や悪戯等を防止するシャッタ２０が設けられ、これを開放することによって顧客に出金紙幣を排出する排出口として機能する。
【０１００】
図１７は共用搬送路１０１を示す上面図である。
１０５ａは搬送シャフトであり、共用搬送路１０１のサイドフレーム１０６に回転自在に係止され、サイドフレーム１０６の内側に２個、外側に１個の搬送ローラ１０７ａが取付けられている。
１０５ｂは搬送シャフト１０５ａと平行に配置された搬送シャフトであり、サイドフレーム１０６に回転自在に係止され、搬送ローラ１０７ａと対向する位置に搬送ローラ１０７ｂが取付けられている。
【０１０１】
１０８は搬送ベルトであり、搬送ローラ１０７ａと、これに対向する搬送ローラ１０７ｂとの間に掛け渡される。
上搬送部と下搬送部は共に、上記の搬送シャフト１０５ａ、１０５ｂと、これらに取付けられた搬送ローラ１０７ａ、１０７ｂの間に掛け渡された３本の搬送ベルト１０８によって形成され、上搬送部と下搬送部との搬送ベルト１０８同士を当接させて組立て一組の搬送路が形成される。
【０１０２】
共用搬送路１０４は、この一組の搬送路を適切な間隔で連続的に並設して構成され、当接する搬送ベルト１０８間に紙幣を挟持して搬送する。
なお、搬送ローラ１０７ａ、１０７ｂの配置は、サイドフレーム１０６の内部に３個の搬送ローラ１０７ａ、１０７ｂを配置する構成としてもよい。また搬送ベルトを用いずローラのみで紙幣の搬送を行うローラ搬送としてもよい。
【０１０３】
上述した構成の作用について説明する。
図１６において、顧客が紙幣を入金する場合は、入金紙幣は入金口１２に縦方向にセットされ、１枚毎に繰出されて鑑別部１３へ縦搬送される。
鑑別部１３において入金リジェクト紙幣とされた入金紙幣は、搬送路３１、３３、共用搬送路１０４、搬送路８４によって入金リジェクト口８１へ搬送され集積されて入金リジェクト紙幣が顧客に返却される。
【０１０４】
この時、共用搬送路１０４においては、入金リジェクト紙幣は図１７に示す縦搬送紙幣のようにサイドフレーム１０６の外側の搬送ベルト１０８に挟持されて搬送路８４との分岐部まで搬送され、分岐部に設けられた図示しない切替ブレードによって搬送方向を切替えられ搬送路８４へ導かれる。
正常と鑑別された入金紙幣は、金種毎に計数された後、搬送路３１、３３、共用搬送路１０４によって入金一時保留部１０１に搬送され、下搬送部１０２ｂ上に集積されて一時保管される。
【０１０５】
全ての入金紙幣の鑑別が終了すると、図示しない顧客操作画面に入金金額が表示され、入金金額の確認を促す文言が表示される。
顧客が入金取消操作を行った場合は、入金一時保留部１０１の上搬送部１０２ａは図示しない駆動装置によって下搬送部１０２ｂの方向に移動し、下搬送部１０２ｂ上に保管されていた全ての入金紙幣を上搬送部１０２ａと下搬送部１０２ｂの間に挟持する。
【０１０６】
次いで、シャッタ２０が開放され束搬送路１０２によって入金紙幣が束のまま顧客操作側へ搬送される。顧客はこれを引抜いて入金紙幣が顧客に返却される。
顧客が入金金額を確認した場合は、上記と同様にして入金一時保留部１０１に保管されていた入金紙幣の全てが上搬送部１０２ａと下搬送部１０２ｂの間に挟持される。
【０１０７】
次いで図示しない駆動装置によって束搬送路１０２が図示しない回転軸を回転支点として図１６に示す矢印Ｆ方向に回動し、入金カセット８３に設けられた開口部の方向を向き上搬送部１０２ａと下搬送部１０２ｂに入金紙幣が挟持されて搬送され、入金カセット１０３へ束のまま収納される。
顧客が出金取引操作を行った場合は、顧客の要求金額に相当する金額の紙幣を出金カセット１７から必要な金種毎に１枚毎に繰出し、搬送路３５、共用搬送路１０４によって出金一時保留部１８へ搬送され集積される。
【０１０８】
この時、図示しない検知器によって搬送異常とされた出金リジェクト紙幣は、搬送路３７によって出金リジェクト部２２へ搬送されて格納される。
また、共用搬送路１０４においては、出金紙幣は図１７に示す横搬送紙幣のようにサイドフレーム１０６の内側の２本の搬送ベルト１０８に挟持されて出金一時保留部１８へ搬送され、束搬送路２１の下搬送部２１ｂ上に集積される。
【０１０９】
顧客の要求金額が全て集積されると、上搬送部２１ａは下搬送部２１ｂの方向に移動し、出金紙幣の全てを上搬送部２１ａと下搬送部２１ｂの間に挟持する。
次いで、シャッタ２０が開放され束搬送路２１によって出金紙幣が束のまま顧客操作側へ搬送される。顧客はこれを引抜いて要求額の紙幣を受取る。
出金紙幣が一定時間経過後においても引抜かれなかった場合の動作は、第１実施の形態例と同様であるので説明を省略する。
【０１１０】
入金カセット１０３の紙幣の回収や出金カセット１７への紙幣の補充等は、以下のように行う。
入金カセット１０３から紙幣を取出す場合は、ＡＴＭの前面に設けられた保守用の扉を開き、入金カセット１０３を取出して紙幣を回収する。または空の入金カセット５１と交換する。
【０１１１】
出金カセット１７へ紙幣の補充を行う場合は、ＡＴＭの前面に設けられた保守用の扉を開き、出金カセット１７を取出して紙幣を補充する。または予め紙幣を充填した出金カセット１７と交換する。
上記は前面保守型のＡＴＭを例にして説明したが、背面保守型のＡＴＭの場合も、背面に設けられた扉を開き同様に作業する。
【０１１２】
以上のように本実施の形態においては、第１実施の形態例の入金紙幣の縦搬送および出金紙幣の横搬送による装置の小型化と出金処理効率の向上効果、共用搬送路による装置の小型化と製作コストの低減効果、第３実施の形態の入金紙幣の束収納による収納時間の短縮効果、第４実施の形態の入金リジェクト紙幣の別排出による集積容易性の向上効果とジャムの防止効果に加えて、入金カセットを出金カセットの側方に並設することによって、ＡＴＭの側方の幅を狭くすることができ、ＡＴＭ等の現金取扱装置の設置場所の顧客操作側の設置幅が狭い場合のＡＴＭの設置設置に有効であり、紙幣の回収や補充に際しては、必要な作業のみを素早く行うことができ保守時間を更に短縮できると共に、より素早い交換作業によって犯罪防止効果を更に高めることができるという効果が得られる。この効果は前面保守型および背面保守型共に得ることができる。
【０１１３】
また、出金口を省略し、シャッタを開放して束搬送路から直接顧客へ紙幣を束のまま排出するようにしたため、顧客の利便性が向上すると共に、出金口が省略でき装置の簡素化を図ることができる。
なお、この出金口の省略は、他の各実施の形態においても同様に行うことができ同様の効果を発揮することができる。
【０１１４】
第６実施の形態例
図１８は本発明の第６実施の形態を示す説明図である。
なお、上記第１〜第５実施の形態例と同様の部分は、同一の符号を付してその説明を省略する。
１１１は入出金一時保留部であり、鑑別部１３により正常と鑑別された入金紙幣および出金カセット１７から繰出された出金紙幣を集積し一時保管する。
【０１１５】
また、入出金一時保留部１１１には、第２実施の形態と同様の束搬送路５３が設けられ、縦に集積された入金紙幣および横に集積された出金紙幣をそれぞれ束のまま搬送する。
更に、入出金一時保留部１１１には、上記束搬送路５３と同様の構造を有する横束搬送路１１２が設けられている。
【０１１６】
１１３は入金カセットであり、出金カセット１７および入出金一時保留部１１１の側方に並設され、入出金一時保留部１１１の横束搬送路１１２から束のまま排出される入金紙幣を受取れるよう上部に開口部を有しており、入金紙幣を金種に関わらず収納する。
なお、本実施の形態の共用搬送路は、第１実施の形態等と同様の共用搬送路３４である。
【０１１７】
また、各搬送路の分岐部および合流部には、図示しない切替えブレードが設けられており、搬送される紙幣を適切な方向に導くように構成されている。
図１９は本実施の形態の入出金一時保留部１１１を示す上面図である。
入出金一時保留部１１１には、第２実施の形態と同様に上搬送部５３ａと下搬送部５３ｂとで構成された束搬送路５３が設けられ、横搬送および縦搬送の紙幣を共に集積し搬送する。
【０１１８】
横束搬送路１１２は、束搬送路５３の搬送方向と直交方向に紙幣の束を搬送するよう配置されている。
横束搬送路１１２において、１１４ａは搬送シャフトであり、横束搬送路１１２のサイドフレーム１１５に回転自在に係止され、サイドフレーム１１５の両外側に各１個の搬送ローラ１１６ａが取付けられている。
【０１１９】
１１４ｂは搬送シャフト１１４ａと平行に配置された搬送シャフトであり、サイドフレーム１１５に回転自在に係止され、搬送ローラ１１６ａと対向する位置に搬送ローラ１１６ｂが取付けられている。
１１７は搬送ベルトであり、搬送ローラ１１６ａと、これに対向する搬送ローラ１１６ｂとの間に掛け渡される。
【０１２０】
１１８は紙幣ストッパであり、横束搬送路１１２との干渉を避けるため、図１９では２本の紙幣ストッパ５４によって横搬送された紙幣を整列して集積するよう設けられており、往復運動によって第２実施の形態の紙幣ストッパ５４と同様の機能を発揮する。
横束搬送路１１２は、搬送シャフト１１４ａ、１１４ｂとこれらに取付けられた搬送ローラ１１６ａ、１１６ｂの間に掛け渡された搬送ベルト１１７とによって形成される上搬送部１１２ａと、これと同様の下搬送部１１２ｂとを平行に配置して構成され、上搬送部１１２ａが下搬送部１１２ｂの方向に、またその逆方向に移動可能なようになっている。
【０１２１】
上搬送部２１ａと下搬送部１１２ｂは、共用搬送路３４から放出される紙幣の集積を阻害しないよう、それぞれ束搬送路５３の上搬送部５３ａと下搬送部５３ｂと略同一面となるよう配置されている。
上述した構成の作用について説明する。
図１８において、顧客が紙幣を入金する場合は、入金口１２に縦方向にセットされた入金紙幣は、１枚毎に繰出され鑑別部１３へ縦搬送される。
【０１２２】
鑑別部１３において入金リジェクト紙幣された紙幣は、搬送路３１、３３、共用搬送路３４によって入出金一時保留部１１１へ搬送され集積される。
この時、共用搬送路３４においては、縦搬送される入金リジェクト紙幣は第１実施の形態とは反対側の片方の搬送ベルト４４に挟持されて入出金一時保留部１１１へ搬送され、図１９に示す縦搬送紙幣のように束搬送路５３の下搬送部５３ｂの片方の搬送ベルト５９と横束搬送路１１２の下搬送部１１２ｂの両方の搬送ベルト１１７上に集積される。
【０１２３】
また、紙幣ストッパ１１８は、図示しない駆動機構によって下方に移動し、縦搬送紙幣の集積を妨げないよう下搬送部５３ｂの搬送ベルト５９から退避した位置に停止している。
なお、紙幣ストッパ１１８の移動方向は、装置の構成の都合等により上方に退避させるようにしてもよく、第２実施の形態の紙幣ストッパ５４のように回動して退避させるようにしてもよい。
【０１２４】
全ての入金リジェクト紙幣が入出金一時保留部１１１に集積されると、第２実施の形態と同様にして入金リジェクト紙幣が顧客に返却される。
正常と鑑別された入金紙幣は、金種毎に計数された後、共用搬送路３４によって入出金一時保留部１１１に搬送され、入金リジェクト紙幣の場合と同様にして集積され一時保管される。
【０１２５】
全ての入金紙幣の鑑別が終了すると、図示しない顧客操作画面に入金金額が表示され、入金金額の確認を促す文言が表示される。
顧客が入金取消操作を行った場合は、入出金一時保留部１１１に保管されている入金紙幣の全てが第２実施の形態と同様にして顧客に返却される。
顧客が入金金額を確認した場合は、図示しない駆動装置によって横束搬送路１１２の上搬送部１１２ａが下搬送部１１２ｂの方向へ移動し、入出金一時保留部１１１に一時保管されている入金紙幣の全てを上搬送部１１２ａと下搬送部１１２ｂの間に挟持する。
【０１２６】
次いで、図示しない駆動装置によって横束搬送路１１２が入金紙幣を束のまま入金カセット１１３に設けられた開口部の方向に搬送し、入金カセット１１３へ収納する。
顧客が出金取引操作を行った場合およびその後の動作は、出金紙幣が集積される部位が入出金一時保留部１１１である以外は、第２実施の形態と同様であるので説明を省略する。
【０１２７】
また、紙幣ストッパ１１８は往復運動によって移動するが、出金紙幣を整列して集積し、束搬送路５３によって出金紙幣を搬送する場合の閉鎖や退避の動作は回動による紙幣ストッパ５４と同様である。
以上のように本実施の形態においては、第１実施の形態例の入金紙幣の縦搬送出金紙幣の横搬送による装置の小型化と出金処理効率の向上効果、共用搬送路による装置の小型化と製作コストの低減効果、第２実施の形態の入金紙幣返却口の省略による装置の小型化の効果、第３実施の形態の入金紙幣の束収納による収納時間の短縮効果、第４実施の形態の出金紙幣と入金紙幣の一時保留部の共用化による装置の簡素化と信頼性向上効果、第５実施の形態の入金カセットと出金カセットの並設による保守時間の短縮効果と犯罪防止効果に加えて、入金カセットを出金カセットの側方に並設する構成においても、横束搬送路を有する入出金一時保留部によって、一箇所の出金口から顧客への入金リジェクト紙幣や入金紙幣の返却および出金紙幣の払出を束のまま排出することができるため、取り忘れ等が防止できると同時に、顧客が一度で紙幣を受取ることができ顧客の利便性を向上させることができるという効果が得られる。
【０１２８】
なお、本実施の形態では、入金紙幣返却口とその搬送路を省略することで、小型化を図ったが、正券以外の紙幣の混入の可能性が大きい場所等で入金リジェクト紙幣の種類が多い等の理由によって、第１実施の形態例と同様にして入金紙幣返却口とその搬送路を設け、入金リジェクト紙幣のみをここから排出するようにしてもよい。
【０１２９】
この場合にも入出金一時保留部は、出金紙幣の一時保留部および正常な入金紙幣の一時保留部として共用し縦横の紙幣が取扱えるものとして、顧客の利便性を確保する。これによって、正券以外の紙幣の集積容易性の向上効果とジャムの防止効果を得ることができる。
以上の各実施の形態は、本発明の紙幣入出金装置をＡＴＭに適用する場合を例に説明したが、現金処理装置や自動発券装置、自動販売機等の現金取扱装置全般に適用してもその効果を損なうものではない。
【０１３０】
上述したように、本発明は縦方向の紙幣を受入れる入金口と横方向の紙幣を排出する排出口を別々に設け、入金紙幣の搬送を縦搬送として鑑別部を小型化し、出金紙幣の搬送を横搬送として出金処理効率を高めると共に、縦搬送と横搬送とを共に可能にした共用搬送路よって搬送路の一部を共用化する等、各部位を統合して簡素化を図り、設置場所の使用環境に容易に適合できる小型で簡素な低価格の紙幣入出金装置の実現を図ったものである。
【０１３１】
【発明の効果】
以上説明したように、本発明は、入金口から縦方向に入金された入金紙幣を縦搬送し、出金カセットから繰出した出金紙幣を横搬送して排出するようにしたことによって、鑑別部の金種鑑別に要する検出部位が少なくなり、出金紙幣の処理速度を高めることができるため、装置の小型化と共に出金処理効率の向上を図ることができるという効果が得られる。
【図面の簡単な説明】
【図１】本発明の第１実施の形態を示す説明図
【図２】第１実施の形態の出金一時保留部を示す上面図
【図３】図２の側面図
【図４】第１実施の形態の共用搬送路を示す上面図
【図５】本発明の第２実施の形態を示す説明図
【図６】第２実施の形態の出金一時保留部を示す上面図
【図７】図６の中央断面図
【図８】第２実施の形態の収納部を示す前面図
【図９】本発明の第３実施の形態を示す説明図
【図１０】本発明の第４実施の形態を示す説明図
【図１１】第４実施の形態の入出金一時保留部を示す上面図
【図１２】本発明の束搬送路の他の態様１を示す上面図
【図１３】図１２の中央断面図
【図１４】本発明の束搬送路の他の態様２を示す上面図
【図１５】図１４の中央断面図
【図１６】本発明の第５実施の形態を示す説明図
【図１７】第５実施の形態の共用搬送路を示す上面図
【図１８】本発明の第６実施の形態を示す説明図
【図１９】第６実施の形態の入出金一時保留部を示す上面図
【図２０】従来例を示すブロック図
【符号の説明】
１    入出金部
２    鑑別部
３    一時保留部
４    収納カセット
５    リジェクト部
６    搬送路
１１  紙幣入出金装置
１２、７１  入金口
１４、７３、１０１  入金一時保留部
１３、７２  鑑別部
１５、５１、７４、８３、１０３、１１３  入金カセット
１６  入金紙幣返却口
１７  出金カセット
１８、５２  出金一時保留部
１９  出金口
２０  シャッタ
２１、５３、９１、１０２  束搬送路
２２  出金リジェクト部
２４、４２、１０６、１１５  サイドフレーム
２３ａ、２３ｂ、４１ａ、４１ｂ  搬送シャフト
２５ａ、２５ｂ、４３ａ、４３ｂ  搬送ローラ
２６、４４、１０８、１１７  搬送ベルト
３１、３２、３３、３５、３６、３７  搬送路
３４、１０４  共用搬送路
５４、１１８  紙幣ストッパ
５５、７５、７６、８４  搬送路
８１  入金リジェクト口
８２、１１１  入出金一時保留部
８５、９５  回転軸
８６  ストッパ
９２  ドラム
９３、９４  凹部
１０５ａ、１０５ｂ、１１４ａ、１１４ｂ  搬送シャフト
１０７ａ、１０７ｂ、１１６ａ、１１６ｂ  搬送ローラ
１１２  横束搬送路
【図１】
0003984064.tif 000002
【図２】
0003984064.tif 000003
【図３】
0003984064.tif 000004
【図４】
0003984064.tif 000005
【図５】
0003984064.tif 000006
【図６】
0003984064.tif 000007
【図７】
0003984064.tif 000008
【図８】
0003984064.tif 000009
【図９】
0003984064.tif 000010
【図１１】
0003984064.tif 000011
【図１２】
0003984064.tif 000012
【図１３】
0003984064.tif 000013
【図１４】
0003984064.tif 000014
【図１５】
0003984064.tif 000015
【図１６】
0003984064.tif 000016
【図１７】
0003984064.tif 000017
【図１８】
0003984064.tif 000018
【図１９】
0003984064.tif 000019
【図２０】
0003984064.tif 000020
【図１０】
0003984064.tif 000021